(57)【要約】【課題】  筺体の外部からトレイ戻し移動手段を操作することができるとともに前面に蓋を設けることなく外観の品位を保つことができるディスク装置、及びトレイ戻し移動レバーをなくすることができるディスクドライブユニットを提供する。【解決手段】  ディスクをディスク載置位置からディスク装着位置に搬送するトレイと、ディスク装着位置のディスクをクランプ及びクランプ解除するクランプ機構と、前記トレイの移動方向と交差する方向への移動が可能であり、前記クランプ機構をクランプ位置及びクランプ解除位置へ動作させるシフタ５と、前記クランプ機構を支持する底板とを備えており、前記底板に該底板の外部から前記シフタ５を操作することを可能とした操作許容口８を設けることによりディスクドライブユニットＡを構成し、このディスクドライブユニットＡを内装したディスク装置は、その筺体１の底面１ｂに該筺体１の外部から前記トレイを移動させることを可能とした操作許容口９を設けた。【選択図】        図１
2005093007.tif 000002
【特許請求の範囲】
【請求項１】
トレイ移動手段により移動され、ディスクをディスク載置位置からディスク装着位置に搬送するトレイ及び手動操作により前記トレイをディスク載置位置方向へ戻し移動させるトレイ戻し移動手段を有するディスクドライブユニットと、該ディスクドライブユニットを内装し、その前面に前記ディスク載置位置に臨むディスク挿脱口を有する筺体とを備えたディスク装置において、前記筺体の両側面、背面、天面、底面の少なくともいずれか１つに開口してあり、前記筺体の外部から前記トレイ戻し移動手段を操作することを可能とした操作許容口を有することを特徴とするディスク装置。
【請求項２】
トレイ移動手段により移動され、ディスクをディスク載置位置からディスク装着位置に搬送するトレイと、前記ディスク装着位置のディスクを筺体内でクランプ及びクランプ解除するクランプ機構と、前記トレイの移動方向と交差する方向への動作が可能であり、前記クランプ機構をクランプ位置及びクランプ解除位置へ動作させるシフタとを備えたディスクドライブユニットにおいて、前記シフタは前記筺体の外部から操作することを可能とした凸部又は凹部を有することを特徴とするディスクドライブユニット。
【請求項３】
トレイ移動手段により移動され、ディスクをディスク載置位置からディスク装着位置に搬送するトレイと、前記ディスク装着位置のディスクをクランプ及びクランプ解除するクランプ機構と、前記トレイの移動方向と交差する方向への動作が可能であり、前記クランプ機構をクランプ位置及びクランプ解除位置へ動作させるシフタと、前記クランプ機構を支持する底板とを備えたディスクドライブユニットにおいて、前記底板は該底板の外部から前記シフタを操作することを可能とした操作許容口を有することを特徴とするディスクドライブユニット。
【請求項４】
トレイ移動手段により移動され、ディスクをディスク載置位置からディスク装着位置に搬送するトレイと、前記ディスク装着位置のディスクを前記筺体内でクランプ及びクランプ解除するクランプ機構と、前記トレイの移動方向と交差する方向への動作が可能であり、前記クランプ機構をクランプ位置及びクランプ解除位置へ動作させるシフタとを備えたディスクドライブユニットにおいて、前記筺体の両側面、背面、天面、底面の少なくとも1 つに開口してあり、その外部から前記シフタを操作することを可能とした操作許容口を有することを特徴とするディスクドライブユニット。
【発明の詳細な説明】
【技術分野】
【０００１】
本発明はＤＶＤ（デジタルバーサタイルディスク）レコーダ、ＤＶＤプレーヤ等のディスク装置及びディスクドライブユニットに関する。
【背景技術】
【０００２】
図１７は従来のディスクドライブユニットの構成を示す正面図、図１８は従来のディスクドライブユニットの底板を取外した状態の底面図である。図１７及び図１８に示したディスクドライブユニット１００は、ディスクを筺体１０１外のディスク載置位置からディスク装着位置に搬送するトレイ１０２と、ディスク装着位置のディスクを筺体１０１内でクランプ及びクランプ解除するクランプ機構１０３と、該クランプ機構１０３を昇降させるリフタ１０４と、該リフタ１０４を揺動させてクランプ機構１０３をクランプ位置及びクランプ解除位置へ動作させるシフタ１０５と、筺体１０１のローディングベース１０６に軸体１０７を介して枢支され、前記シフタ１０５をトレイ１０２の移動方向と交差する方向（矢印Ｙ方向）へ強制的に移動させてディスククランプ位置にあるクランプ機構１０３をクランプ解除方向へ動作させるとともに、トレイ１０２を緊急時にディスク載置位置方向へ戻し移動させるトレイ戻し移動レバー１０８とを備えている。
【０００３】
図１９は従来のディスク装置の構成を示す平面図、図２０は従来のディスク装置の構成を示す正面図である。ディスク装置は特開平４−６１０５９号公報に記載されているように公知である（特許文献１。）。
【０００４】
図１７及び図１８のように構成されたディスクドライブユニット１００は、例えば図１９、図２０に示すような従来のディスク装置に用いられる。この従来のディスク装置は、図１７及び図１８のディスクドライブユニット１００とＨＤＤ（ハードディスクドライバ）１０９とが直方体の筺体１１０に内装されたＨＤＤ一体型のＤＶＤレコーダであり、筺体１１０の前面１１１には前記ディスク載置位置に臨むディスク挿脱口１１２及び前記トレイ戻し移動レバー１０８に臨む貫通孔１１３が設けられている。
【０００５】
このディスク装置にあっては、トレイによりディスクがディスク装着位置に装着された状態で、トラブルにより通常の操作ではディスクを取り出すことができなくなった場合などに、ディスク装置の筺体１１０の前面１１１外部から細長いピン等を前面１１１の貫通孔１１３に挿入してトレイ戻し移動レバー１０８を押すことにより、該トレイ戻し移動レバー１０８が動作し、トレイをディスク載置位置方向へ強制的に戻し移動させ、トレイを手動で引き出し可能な位置に移動させる。このトレイを手動で引き出すことにより、ディスクを取り出し可能になる。
【特許文献１】特開平４−６１０５９号公報
【発明の開示】
【発明が解決しようとする課題】
【０００６】
上述のように従来のディスクドラブユニットにあっては、リフタ１０４を介してクランプ機構１０３をクランプ位置及びクランプ解除位置へ動作させるシフタ１０５とは別個に、トレイ１０２を緊急時にディスク載置位置方向へ戻し移動させるトレイ戻し移動レバー１０８を設けることが必要であるため、部品点数が増加することになり、改善策が要望されていた。また、ディスクドラブユニットを用いるディスク装置にあっては、トレイ戻し移動レバー１０８を操作するための貫通孔１１３が、前面１１１にディスク挿脱口１１２が設けられている筺体１１０の前面１１１に該前面１１１を貫通して設けられており、該貫通孔１１３が露出した状態となっているため、外観上の品位がよくないのであり、また、外観上の品位のため、前記貫通孔１１３を隠す為の蓋を設けた場合には部品点数が多くなり、改善策が要望されていた。
【０００７】
本発明は斯かる事情に鑑みてなされたものであり、主たる目的は前面にディスク挿脱口を有する筺体の両側面、背面、天面、底面のいずれか１つに開口し、筺体の外部からトレイ戻し移動手段を操作することを可能とした操作許容口を設けたことにより、前面に蓋を設けることなく外観の品位を保つことができるディスク装置を提供することである。
【０００８】
また、他の目的はクランプ機構をクランプ位置及びクランプ解除位置へ動作させるシフタに筺体の外部から操作することを可能とした凸部又は凹部を設けたことにより、従来のトレイ戻し移動レバーをなくすることができ、部品点数を削減することができるディスクドライブユニットを提供することである。
【０００９】
また、他の目的はクランプ機構を支持する底板に該底板の外部からシフタを操作することを可能とした操作許容口を設けたことにより、従来のトレイ戻し移動レバーをなくすることができ、部品点数を削減することができ、しかも、ディスクドライブユニットを用いるディスク装置においては、前面にディスク挿脱口を有する筺体の前面でなく、筺体の底面に操作許容口を設けることができるディスクドライブユニットを提供することである。
【００１０】
また、他の目的は筺体の両側面、背面、天面、底面の少なくとも1 つに開口し、その外部からシフタを操作することを可能とした操作許容口を設けたことにより、従来のトレイ戻し移動レバーをなくすることができ、部品点数を削減することができ、しかも、ディスクドライブユニットを用いるディスク装置においては、前面にディスク挿脱口を有する筺体の前面でなく、筺体の側面に操作許容口を設けることができるディスクドライブユニットを提供することである。
【課題を解決するための手段】
【００１１】
本発明に係るディスク装置は、トレイ移動手段により移動され、ディスクをディスク載置位置からディスク装着位置に搬送するトレイ及び手動操作により前記トレイをディスク載置位置方向へ戻し移動させるトレイ戻し移動手段を有するディスクドライブユニットと、該ディスクドライブユニットを内装し、その前面に前記ディスク載置位置に臨むディスク挿脱口を有する筺体とを備えたディスク装置において、前記筺体の両側面、背面、天面、底面のいずれか１つに開口してあり、前記筺体の外部から前記トレイ戻し移動手段を操作することを可能とした操作許容口を有することを特徴とする。
【００１２】
この発明にあっては、前面にディスク挿脱口を有する筺体の前面でなく、筺体の両側面、背面、天面、底面のいずれか１つに操作許容口が設けられているため、前面に蓋を設けることなく外観の品位を保つことが可能である。
【００１３】
また、本発明に係るディスクドライブユニットは、トレイ移動手段により移動され、ディスクをディスク載置位置からディスク装着位置に搬送するトレイと、前記ディスク装着位置のディスクを筺体内でクランプ及びクランプ解除するクランプ機構と、前記トレイの移動方向と交差する方向への動作が可能であり、前記クランプ機構をクランプ位置及びクランプ解除位置へ動作させるシフタとを備えたディスクドライブユニットにおいて、前記シフタは前記筺体の外部から操作することを可能とした凸部又は凹部を有することを特徴とする。
【００１４】
この発明にあっては、シフタを筺体の外部から操作することが可能であるため、従来のトレイ戻し移動レバーをなくすることができ、部品点数を削減でき、コストダウンが可能になる。
【００１５】
また、本発明に係るディスクドライブユニットは、トレイ移動手段により移動され、ディスクをディスク載置位置からディスク装着位置に搬送するトレイと、前記ディスク装着位置のディスクをクランプ及びクランプ解除するクランプ機構と、前記トレイの移動方向と交差する方向への動作が可能であり、前記クランプ機構をクランプ位置及びクランプ解除位置へ動作させるシフタと、前記クランプ機構を支持する底板とを備えたディスクドライブユニットにおいて、前記底板は該底板の外部から前記シフタを操作することを可能とした操作許容口を有することを特徴とする。
【００１６】
この発明にあっては、シフタを筺体の底板外方から操作することが可能であるため、従来のトレイ戻し移動レバーをなくすることができ、部品点数を削減でき、コストダウンが可能になる。さらにこのディスクドライブユニットを用いるディスク装置においては、前面にディスク挿脱口を有する筺体の前面でなく、筺体の底面に操作許容口を設けることができるため、前面に蓋を設けることなく外観の品位を保つことが可能である。
【００１７】
また、本発明に係るディスクドライブユニットは、トレイ移動手段により移動され、ディスクをディスク載置位置からディスク装着位置に搬送するトレイと、前記ディスク装着位置のディスクを筺体内でクランプ及びクランプ解除するクランプ機構と、前記トレイの移動方向と交差する方向への動作が可能であり、前記クランプ機構をクランプ位置及びクランプ解除位置へ動作させるシフタとを備えたディスクドライブユニットにおいて、前記筺体の両側面、背面、天面、底面の少なくとも１つに開口してあり、その外部から前記シフタを操作することを可能とした操作許容口を有することを特徴とする。
【００１８】
この発明にあっては、シフタを筺体の外方から操作することが可能であるため、従来のトレイ戻し移動レバーをなくすることができ、部品点数を削減でき、コストダウンが可能になる。さらにこのディスクドライブユニットを用いるディスク装置においては、前面にディスク挿脱口を有する筺体の前面でなく、筺体の側面に操作許容口を設けることができるため、前面に蓋を設けることなく外観の品位を保つことが可能である。
【発明の効果】
【００１９】
本発明によれば、前面にディスク挿脱口を有する筺体の前面でなく、筺体の左側面、右側面、背面、天面、底面のいずれか１つに操作許容口が設けられているため、前面に蓋を設けることなく外観の品位を保つことが可能である。
【００２０】
また、本発明によれば、シフタを筺体の外部から直接操作することが可能であるため、従来の緊急トレイ動作レバーをなくすることができ、部品点数を削減でき、コストダウンが可能になる。
【００２１】
また、本発明によれば、シフタを筺体の底板外方から直接操作することが可能であるため、従来の緊急トレイ動作レバーをなくすることができ、部品点数を削減でき、コストダウンが可能になる。しかも、このディスクドライブユニットを用いるディスク装置においては、前面にディスク挿脱口を有する筺体の前面でなく、筺体の底面に操作許容口を設けることができるため、前面に蓋を設けることなく外観の品位を保つことが可能である。
【００２２】
また、本発明によれば、シフタを筺体の外方から直接操作することが可能であるため、従来の緊急トレイ動作レバーをなくすることができ、部品点数を削減でき、コストダウンが可能になる。しかも、このディスクドライブユニットを用いるディスク装置においては、前面にディスク挿脱口を有する筺体の前面でなく、筺体の側面に操作許容口を設けることができるため、前面に蓋を設けることなく外観の品位を保つことが可能である。
【発明を実施するための最良の形態】
【００２３】
以下本発明をその実施の形態を示す図面に基づいて詳述する。
実施の形態１
図１は本発明に係るディスク装置の構成を示す底面図、図２はディスク装置の構成を示す正面図、図３はディスクドライブユニットの実施の形態１の構成を示す底面側斜視図、図４はディスクドライブユニットの底部の部分拡大図、図５はディスクドライブユニットの底板を取外した状態を示す斜視図、図６はディスクドライブユニットの一部を分解した斜視図、図７はシフタの拡大正面図、図８はトレイとシフタとの関係を示す斜視図、図９はトレイの構成を示す斜視図、図１０は筺体のローディングベースの構成を示す底面側斜視図、図１１は筺体のローディングベースの構成を示す平面側斜視図、図１２はディスクドライブユニットの構成を示す平面側斜視図、図１３はディスクドライブユニットの構成を示す平面図である。
【００２４】
図に示したディスク装置はディスクドライブユニットＡとハードディスクドライバであるＨＤＤ（Ｂ）とが略直方体の筺体１に内装されたＨＤＤ一体型のＤＶＤレコーダである。
【００２５】
ディスクドライブユニットＡは、トレイ移動手段により移動され、ディスクをディスク載置位置からディスク装着位置に搬送するトレイ２と、ディスク装着位置のディスクをクランプ及びクランプ解除するクランプ機構３と、該クランプ機構３を昇降させるリフタ４と、該リフタ４を揺動させてクランプ機構３をクランプ位置及びクランプ解除位置へ動作させるシフタ５と、クランプ機構３を支持する底板（底面）６１及びクランプ機構３等を取り囲む周面（前面、両側面、背面）６２ａを有する筺体６とを備えている。
【００２６】
トレイ２はトレイ駆動用の電動モータ２０により駆動され、筺体６に枢着されたトレイ駆動ギヤ７に噛合するラック歯２ａを有しており、トレイ駆動ギヤ７の一方向への回転により筺体６外部のディスク載置位置から筺体６内のディスク装着位置へ移動し、トレイ駆動ギヤの他方向への回転によりディスク装着位置からディスク載置位置方向へ戻り移動するように構成されている。
【００２７】
クランプ機構３は、クランプしたディスクを回転させる電動モータ３１と、該電動モータ３１を支持した矩形の支持板３２と、該支持板３２に２本の案内軸３３，３３を介してディスクの半径方向にトラバース動作可能に搭載され、ディスクの表面にデータの読み取り及び／又は書き込みを行う光ピックアップ部３４とを備えている。支持板３２の四角部には弾性筒体３５が係止されており、支持板３２の電動モータ３１側角部に配置された２つの弾性筒体３５，３５に挿入される軸体４ｂ，４ｂ及び該軸体４ｂ，４ｂに螺着される雄ねじにより支持板３２にリフタ４が連結されており、支持板３２の反電動モータ側角部に配置された２つの弾性筒体３５，３５に挿入される軸体及び該軸体に螺着される雄ねじにより筺体６の底板６１に取着されている。
【００２８】
リフタ４は略凹形に形成されており、両側面部の上端部分に枢軸４ａ，４ａが突設されており、底面部に離隔する２つの軸体４ｂ，４ｂ及び係合凸部４ｃ，４ｃが突設されており、筺体６の周面６２ａに穿設された孔に枢軸４ａ，４ａが内嵌され、支持板３２の弾性筒体３５，３５に軸体４ｂ，４ｂが内嵌されることによりリフタ４が揺動自在となり、このリフタ４の揺動に連動して支持板３２、ひいてはクランプ機構３の電動モータ側部分を昇降可能にしてある。
【００２９】
シフタ５はトレイ２の移動方向と交差する方向への移動を可能として筺体６に保持されている。このシフタ５は移動方向と交差する方向に穿設された２つのカム溝５ａ，５ａと、トレイ駆動ギヤ７に噛合することが可能なラック歯５ｂと、トレイ２を緊急時にディスク載置位置方向へ戻し移動させるための凸部５ｃとを有しており、カム溝５ａ，５ａにリフタ４の係合凸部４ｃ，４ｃが内嵌されて係合し、シフタ５を移動させることによりカム溝５ａ，５ａ及び係合凸部４ｃ，４ｃを介してリフタ４を揺動させ、クランプ機構３をクランプ位置及びクランプ解除位置の間で昇降させることができるようになっている。また、ラック歯５ｂはトレイ２がディスク装着位置に停止しており、クランプ機構３がクランプ位置に停止している場合にトレイ駆動ギヤ７と非噛合となり、クランプ機構３をクランプ解除位置へ下降させる方向へシフタ５を移動させた場合にトレイ駆動ギヤ７と噛合するように構成されており、この噛合によりシフタ５の移動力をラック歯５ｂからトレイ駆動ギヤ７に伝動し、該トレイ駆動ギヤ７を回転させ、トレイ駆動ギヤ７に噛合しているラック歯２ａを介してトレイ２をディスク載置位置方向へ戻し移動させる。尚、凸部５ｃがトレイ戻し移動手段を構成している。
【００３０】
筺体６は底板（底面）６１と、該底板６１に取着され、周面（前面、両側面、背面）６２ａを有するローディングベース６２と、該ローディングベース６２の反底板側に取着され、逆Ｕ字形に湾曲する天板（天面）６３とを備えており、底板６１の凸部５ｃに臨む位置には、凸部５ｃが挿入される長孔（操作許容口）８がシフタ５の移動方向と平行的に穿設されており、該長孔８に挿入されている凸部５ｃを底板６１の外部から操作することによりシフタ５を移動させることができるように構成されている。
【００３１】
以上のように構成されたディスクドライブユニットＡが内装された筺体１の前面１ａにディスク挿脱口１１が設けられており、底面１ｂの長孔８に臨む位置には底面１ｂの外部からシフタ５の凸部５ｃを操作することを可能とした操作許容口９が穿設されており、該操作許容口９に時計用ドライバ等の比較的小形の工具を挿入することにより凸部５ｃを介してシフタ５を移動させることかできるように構成されている。操作許容口９は長孔になっている。尚、操作許容口９は凸部５ｃの先端部分が挿入される大きさとするか、又は、凸部５ｃは挿入されずに前記した工具だけが挿入される大きさとしてもよいし、また、凸部５ｃの先端部分が外部に突出する大きさとし、工具を用いることなく凸部５ｃを直接手動で操作することができるようにしてもよい。
【００３２】
以上のように構成されたディスク装置は筺体１の底面１ｂに操作許容口９が設けられているため、前面１ａにディスク挿脱口１１が設けられている筺体１の前面外方から操作許容口９が見えないのであり、外観上の品位を良好にできる。また、ディスクがディスク装着位置に装着されており、クランプ機構３がクランプ位置にある状態で、トラブルにより通常の操作ではディスクを取り出すことができなくなった場合、底面１ｂの操作許容口９から長孔８に時計用ドライバ等の工具を挿入し、該工具の先端を凸部５ｃに係合させ、この係合状態で工具によりシフタ５を図６のＸ方向へ移動させることによりカム溝５ａ，５ａ、係合凸部４ｃ，４ｃ及びリフタ４を介してクランプ機構３をクランプ解除位置へ下降させることができるとともに、シフタ５のラック歯５ｂがトレイ駆動ギヤ７と噛合し、該トレイ駆動ギヤ７が回転され、該トレイ駆動ギヤ７に噛合しているラック歯２ａを介してトレイ２がディスク載置位置方向へ戻り移動する。
【００３３】
実施の形態２
図１４はディスクドライブユニットの実施の形態２の構成を示す側面図、図１５はディスクドライブユニットの実施の形態２の要部の断面図である。実施の形態２のディスクドライブユニットＡは筺体６の底板６１に長孔８を設ける代わりに、ローディングベース６２の周面６２ａのシフタ５に臨む位置に角形又は丸形の貫通孔１０を設けたものである。      
【００３４】
実施の形態２において、貫通孔１０は周面６２ａ及び該周面６２ａの外側に被装された天板６３の側板部６３ａに夫々穿設されている。この貫通孔１０はシフタ５の移動方向一端部又は前記凸部５ｃに臨む位置に穿設されており、時計用ドライバ等の比較的小形の工具を挿入することができる程度の大きさになっている。
【００３５】
実施の形態２のように構成されたディスクドライブユニットＡを備えるディスク装置は、筺体１の左側の側面又は右側の側面であり、貫通孔１０に臨む位置に前記側面の外部からシフタ５を操作することを可能とした操作許容口９が穿設されており、該操作許容口９に工具を挿入することによりシフタ５を移動させることかできるように構成されている。      
【００３６】
実施の形態２のように構成されたディスク装置は筺体１の左側の側面又は右側の側面に操作許容口９が設けられているため、前面１ａにディスク挿脱口１１が設けられている筺体１の前面１ａ外方から操作許容口９が見えないのであり、外観上の品位を良好にできる。また、ディスクがディスク装着位置に装着されており、クランプ機構３がクランプ位置にある状態で、トラブルにより通常の操作ではディスクを取り出すことができなくなった場合、前記側面の操作許容口９から貫通孔１０に時計用ドライバ等の工具を挿入し、該工具の先端をシフタ５の一端部又は前記凸部５ｃに当接させ、この当接状態で工具を押し込むことによりシフタ５を図１５の矢印Ｘ方向へ移動させることができ、このシフタ５の移動によりカム溝５ａ，５ａ、係合凸部４ｃ，４ｃ及びリフタ４を介してクランプ機構３をクランプ解除位置へ下降させることができるとともに、シフタ５のラック歯５ｂがトレイ駆動ギヤ７と噛合し、該トレイ駆動ギヤ７が回転され、該トレイ駆動ギヤ７に噛合しているラック歯２ａを介してトレイ２がディスク載置位置方向へ移動する。
その他の構成及び作用は実施の形態１と同様であるため、同様の部品については同じ符号を付し、その詳細な説明及び作用、効果の説明を省略する。
【００３７】
図１６はディスクドライブユニットの他の実施の形態を示す要部の断面図である。以上説明した実施の形態では、工具等によりシフタ５を直接移動させるように構成したが、その他、中間部材を介してシフタ５を移動させるように構成してもよい。この場合、実施の形態１にあっては例えばシフタ５の近傍にベルクランク（中間部材）を枢支し、操作許容口９に挿入される工具等を操作許容口９に沿って移動操作することにより前記ベルクランクをシフタ５の移動方向へ揺動させ、該ベルクランクを介してシフタ５を移動させるように構成する。また、実施の形態２にあっては例えば図１６のようにシフタ５の近傍にベルクランク（中間部材）３０を枢支し、操作許容口９に挿入される工具等を押し操作することにより前記ベルクランク３０を揺動させ、該ベルクランク３０を介してシフタ５を移動させるように構成する。
【００３８】
また、以上説明した実施の形態のディスク装置は、略直方体に形成されている筺体１の底面１ｂ又は両側面の一方に操作許容口９を設けた構成としたが、その他、ディスク挿脱口１１が設けられている前面１ａを除いた両側面の他方、背面、天面のいずれか１つに設けた構成としてもよい。また、ディスクドライブユニットＡにあっては、操作許容口としての長孔８、貫通孔１０を筺体６の底板６１又は周面６２ａに設ける代わりに、天板６３に操作許容口としての長孔８又は貫通孔１０を設けた構成としてもよい。また、筺体１は略直方体に形成されているが、その他、筺体１は例えば略円柱形、略円錐形など非直方体に形成されてもよいのであり、筺体１の形状は特に制限されない。
【００３９】
また、トレイ戻し移動手段として、シフタ５に凸部５ｃを設けたが、その他、操作許容口９、長孔８又は貫通孔１０に挿入される工具等が係合することを可能とした凹部をシフタ５に設けた構成としてもよい。また、トレイ戻し移動手段は図１５のようにシフタ５の一端部であってもよいし、また、図１６のように中間部材３０であってもよい。
また、筺体１の操作許容口９、筺体６の操作許容口（長孔８又は貫通孔１０）の形状は特に制限されない。
【００４０】
また、本発明に係るディスク装置、ディスクドライブユニットは図に示したように正面視で横長となり、ディスクが水平に配置されるように構成されているが、その他、正面視で縦長となり、ディスクが垂直に配置されるように構成されてもよい。
【図面の簡単な説明】
【００４１】
【図１】本発明に係るディスク装置の構成を示す底面図である。
【図２】本発明に係るディスク装置の構成を示す正面図である。
【図３】本発明に係るディスクドライブユニットの実施の形態１の構成を示す底面側斜視図である。
【図４】本発明に係るディスクドライブユニットの底部の部分拡大図である。
【図５】本発明に係るディスクドライブユニットの底板を取外した状態を示す斜視図である。
【図６】本発明に係るディスクドライブユニットの一部を分解した斜視図である。
【図７】本発明に係るディスクドライブユニットのシフタの拡大正面図である。
【図８】本発明に係るディスクドライブユニットのトレイとシフタとの関係を示す斜視図である。
【図９】本発明に係るディスクドライブユニットのトレイの構成を示す斜視図である。
【図１０】本発明に係るディスクドライブユニットの筺体のローディングベースの構成を示す底面側斜視図である。
【図１１】本発明に係るディスクドライブユニットの筺体のローディングベースの構成を示す平面側斜視図である。
【図１２】本発明に係るディスクドライブユニットの構成を示す平面側斜視図である。
【図１３】本発明に係るディスクドライブユニットの構成を示す平面図である。
【図１４】本発明に係るディスクドライブユニットの実施の形態２の構成を示す側面図である。
【図１５】本発明に係るディスクドライブユニットの実施の形態２の要部の断面図である。
【図１６】本発明に係るディスクドライブユニットの他の実施の形態を示す要部の断面図である。
【図１７】従来のディスクドライブユニットの構成を示す正面図である。
【図１８】従来のディスクドライブユニットの底板を取外した状態の底面図である。
【図１９】従来のディスク装置の構成を示す平面図である。
【図２０】従来のディスク装置の構成を示す正面図である。
【符号の説明】
【００４２】
Ａ    ディスクドライブユニット
１    筺体
１ａ  前面
２    トレイ
３    クランプ機構
４    リフタ
５    シフタ
５ｃ  凸部（トレイ戻し移動手段）
６    筺体
６１  底板
８    長孔（操作許容口）
９    操作許容口
１０  貫通孔（操作許容口）
【図１】
2005093007.tif 000003
【図２】
2005093007.tif 000004
【図３】
2005093007.tif 000005
【図４】
2005093007.tif 000006
【図５】
2005093007.tif 000007
【図６】
2005093007.tif 000008
【図７】
2005093007.tif 000009
【図８】
2005093007.tif 000010
【図９】
2005093007.tif 000011
【図１０】
2005093007.tif 000012
【図１１】
2005093007.tif 000013
【図１２】
2005093007.tif 000014
【図１３】
2005093007.tif 000015
【図１４】
2005093007.tif 000016
【図１５】
2005093007.tif 000017
【図１６】
2005093007.tif 000018
【図１７】
2005093007.tif 000019
【図１８】
2005093007.tif 000020
【図１９】
2005093007.tif 000021
【図２０】
2005093007.tif 000022